(57)【要約】【課題】放水パターンの全範囲にわたり、散水できるようにすることを目的とする。【解決手段】消火ホース用ノズル装置の先端１ａに装着される噴霧回転櫛歯２０であって、円環状の基台２２と、該基台２２に周方向に間隔をおいて配設された複数の外方流出案内歯２４と、前記複数の外方流出案内歯２４のうちの、一部の隣り合う外方流出案内歯２４ｃ，２４ｄ間に設けられた外方流出阻止板２６と、を備えている。そして、噴霧回転櫛歯２０は、消防ホース用ノズル装置のノズル先端に装着される。【選択図】  図１
2014150922.tif 000002
【特許請求の範囲】
【請求項１】
消火ホース用ノズル装置のノズル先端に装着される噴霧回転櫛歯であって、
円環状の基台と、
該基台に周方向に間隔をおいて配設された複数の外方流出案内歯と、
前記複数の外方流出案内歯のうちの、一部の隣り合う外方流出案内歯間に設けられた外方流出阻止板と、
を備えていることを特徴とする消防ホース用噴霧回転櫛歯。
【請求項２】
前記前記外方流出阻止板と前記基台との間には、外方流路隙間が設けられていることを特徴とする請求項１記載の消防ホース用噴霧回転櫛歯。
【請求項３】
請求項１記載の噴霧回転櫛歯が、ノズル先端に装着されていることを特徴とする消防ホース用ノズル装置。
【発明の詳細な説明】
【技術分野】
【０００１】
本発明は、消防ホース用ノズル装置及び該ノズル装置に装着される噴霧用回転櫛歯に関するものである。
【背景技術】
【０００２】
従来の消防ホース用ノズル装置のノズル先端には、噴霧用回転櫛歯が装着されているが、この回転櫛歯は、ノズルから噴射する消火水の衝突により回転し、該消火水を分散霧化させるものである。（例えば、特許文献１、参照）
【先行技術文献】
【特許文献】
【０００３】
【特許文献１】登録実用新案第３１２５１０４号公報
【発明の概要】
【発明が解決しようとする課題】
【０００４】
従来の噴霧用回転櫛歯は、回転可能な円環状の基台と、該基台の表面に、周方向に所定間隔（流路空間）をおいて配設された外方流出案内歯と、から構成されており、ノズルから消火水が放出されると、該消火水は、前記櫛歯に衝突して前記流路空間から外方に放出されて放射状の放水パターンを形成する。そのため、該放水パターンの中心部側に十分散水されないために、散水領域が円環状になり、該放水パターンの中心側に散水されない部分、所謂空洞部が生じるので、消火効率が良くない。
【０００５】
又、前述のように、前記放水パターンに空洞部が生じるため、前記ノズル装置の操作者は、消火作業中に前記空洞部の中に、火炎や火災熱などが吸い込まれるのではないか、と不安になることがある。
【０００６】
この発明は、上記事情に鑑み、放水パターンの散水領域に満遍なく散水できるようにすることを目的とする。
【課題を解決するための手段】
【０００７】
この発明は、  消火ホース用ノズル装置の先端に装着される噴霧回転櫛歯において、円環状の基台と、該基台に周方向に間隔をおいて配設された複数の外方流出案内歯と、前記複数の外方流出案内歯のうちの、一部の隣り合う外方流出案内歯間に配設された外方流出阻止板と、を備えていることを特徴とする。
【０００８】
この発明の前記外方流出阻止板と前記基台との間には、外方流路隙間が設けられていることを特徴とする。
【０００９】
この発明は、前記噴霧回転櫛歯が、ノズルの先端に装着されていることを特徴とする。
【発明の効果】
【００１０】
この発明は、以上のように構成したので、ノズルから放出された消火水は、噴霧回転櫛歯の外方流出案内歯に衝突して該櫛歯を回転させるとともに、前記衝突した消火水は外方に向かって放出され、前記消火水の一部は、前記外方阻止板に衝突して外方への流出が阻止されるので、内方に向かって放出される。そのため、放水パターンの散水領域に満遍なく散水することができるので、効率よく消火を行うことができる。
【図面の簡単な説明】
【００１１】
【図１】本発明の第１実施形態を示す噴霧回転櫛歯の正面図である。
【図２】本発明の第１実施形態を示す噴霧回転櫛歯の平面図である。
【図３】本発明の第１実施形態を示す噴霧回転櫛歯の拡大斜視図である。
【図４】本発明の消防ホース用ノズル装置を示す正面図である。
【図５】散水領域を示す断面図である。
【発明を実施するための形態】
【００１２】
この発明の第１実施形態を図１〜図５により説明する。ボデ―（銃身）１は、筒状に形成され、その内部には、図示しない流路が設けられている。このボデー１には、流路を開閉するボール弁（図示省略）が設けられており、該ボール弁の左側及び右側には、スピンドル(図示省略)を介して開閉ハンドル３が連結されている。
【００１３】
前記ボデー１の後端部側には、消防ホース５を接続するための受け金具（接続金具）７と肩ベルトを接続するための固定リング９が設けられている。前記開閉ハンドル３の下方には、円弧状に形成されたガイドストッパ１１が設けられているが、このストッパ１１は、開閉ハンドル３が閉弁位置の時に、ストッパロッドの下端部が係止できるように設計されている。前記ストッパ１１の下方には、グリップ１２が設けられているが、本実施例の消防ホース用ノズル装置は、このグリップ１２を手で握り、前記装置全体を把持するいわゆるガンタイプの把持形式となっている。
【００１４】
前記ボデー１の先端部側には、流量調節するときに回転操作する流量調節リング１６と、放水パターンを選択するときに回転操作するパターン調節リング１４が設けられ、又、前記ボデー１のノズル先端１ａには、噴霧回転櫛歯２０が回動可能に装着されている。
【００１５】
前記噴霧回転櫛歯２０は、円環状の基台２２を備えており、その上面２２ａには、周方向に等間隔をおいて複数の外方流出案内歯２４が設けられているが、この間隔は、放水案内路空間２３を構成している。前記各外方流出案内歯２４は、基台２２の半径方向（半径線）Ｒに対して角度θ傾斜して配設されている。前記案内歯２４は、ほほ台形状に形成されており、内側の内周壁２４ｆと外側の外周壁２４ｇと両側の側壁２４ｓと、外周壁２４ｇに傾斜切欠き部２４ａを介して連続する上面２４ｈとを備えている。前記外周壁２４ｇの厚さは、内周壁２４ｆより厚く形成されており、前記放水案内路空間２３の幅は、外周側が狭くなっている。前記案内歯の形状、傾斜角度θ、前記放水案内路間隔２３等は、必要に応じて適宜選択される。
【００１６】
前記噴霧回転櫛歯２０の、一部の隣り合う外方流出案内歯２４ｃ，２４ｄ間には、外方流出阻止板２６が設けられている。この外方流出阻止板２６は、周方向に等間隔をおいて５枚設けられている。この外方流出阻止板２６と前記基台２２との間には、隙間があけられているが、この隙間は、外方流出路隙間２８を構成している。前記外方流出阻止板２６の形状、設置数、前記外方流出路隙間２８の大きさ（高さ）等は、必要に応じて適宜選択される。
【００１７】
次に、本実施形態の作動について説明する。肩ベルトを肩にかけ、一方の手でグリップ１２を握った後、他方の手で開閉ハンドル３を握ると、ストッパロッドが持ち上がり、ガイドストッパ１１との係合が解除される。この状態で、前記開閉ハンドル３を引くと、ボール弁が回転して貫通孔が流路方向に開いて開弁し、放水が開始される。この時、放水パターンＰはパターン調節リング１４により調整されており、又、流量は流量調節リング１６により調整されている。
【００１８】
消火ホース５から圧送される消火水Ｗは、ノズル先端１ａに装着されている噴霧回転櫛歯２０の外方流出案内歯２４に衝突し、該案内歯２４の側壁２４ｓに水圧を加えるので、前記噴霧回転櫛歯２０は所定方向に回転する。この時、外方流出案内歯２４の側壁２４ｓに衝突した消火水Ｗ１は、放水案内路空間２３に案内されながら外方に放出される。
【００１９】
又、前記消火水Ｗの一部Ｗ２は、外方流出阻止板２６に衝突して外方への進行を阻止され、内方に進路変更されるとともに、前記消火水Ｗ２の一部は、外方流出阻止板６８に衝突することなく、外方流出路隙間２８を通って外方に放出される。そのため、放水パターンＰの中心部にも十分噴霧されるので、放水パターンＰの散水領域Ａに満遍なく散水Ｗ１，Ｗ２されるため、効率良く消火することができる。
【符号の説明】
【００２０】
１      ボデー
１ａ    ノズル先端
１４    流量調節リング
１６    パターン調節リング
２０    噴霧回転櫛歯
２２    基台
２３    放水案内路空間
２４    外方流出案内歯
２４ａ  傾斜切欠き部
２４ｃ  隣り合う外方流出案内歯
２４ｄ  隣り合う外方流出案内歯
２４ｆ  内周壁
２４ｇ  外周壁
２４ｈ  上面
２４ｓ  側壁
２６    外方流出阻止板
２８    放出案内路間隙
【図１】
2014150922.tif 000003
【図２】
2014150922.tif 000004
【図３】
2014150922.tif 000005
【図４】
2014150922.tif 000006
【図５】
2014150922.tif 000007
【手続補正書】
【提出日】平成26年1月9日(2014.1.9)
【手続補正１】
【補正対象書類名】特許請求の範囲
【補正対象項目名】請求項２
【補正方法】変更
【補正の内容】
【請求項２】
前記外方流出阻止板と前記基台との間には、外方流路隙間が設けられていることを特徴とする請求項１記載の消防ホース用噴霧回転櫛歯。